(57)【要約】      （修正有）【課題】ユーザーに余計な手間を掛けさせる事無く、市価に対し割り引かれた価格での商品購入を行わせることができると共に、販売者側の機会損失を低減させる商品代理購入装置を提供する。【解決手段】装置は、電子ギフトカードの割引仕入れ・額面利用の鞘抜きで割引原資を確保すると共に、ユーザーには当該割引原資を利用して商品の割引購入の機会を提供する。装置は、所定の電子商取引サイトで利用できるギフトカードを額面以下で調達する。ユーザーから所定の電子商取引サイトで利用される商品指定コード、商品送り先を受け付け、商品指定コードに係る商品の割引適用代金を決済する。そして、所定の電子商取引サイトで利用できる電子ギフトカードで、ユーザーから受け付けた商品指定コードに係る商品を商品送り先へ配送する条件で、買い物を実施する。【選択図】図２
2018032359.tif 000002
【特許請求の範囲】
【請求項１】
ユーザーの依頼に基づいて、所定の電子商取引サイトにおいて商品の代理購入を行う商品代理購入装置であって、
前記所定の電子商取引サイトにおいて使用可能な仮想通貨へ変換可能な情報である仮想通貨可変情報であって、額面金額に対し第１の割引率以上の割引率で割り引かれる価格で仕入れられた前記仮想通貨可変情報に基づいて、前記所定の電子商取引サイト内の管理口座であって、前記所定の電子商取引サイトにおいて使用される前記仮想通貨を管理する前記管理口座への入金処理を行う仮想通貨入金手段と、
ユーザー端末から、前記所定の電子商取引サイトにおいて代理購入を希望する商品及び該商品の届け先を受け付ける商品情報受付手段と、
前記所定の電子商取引サイトを介して、前記商品情報受付手段によって受け付けた前記商品を識別する商品識別情報であって、前記所定の電子商取引サイトにおける固有の前記商品識別情報を特定する商品識別情報特定手段と、
前記商品識別情報に基づいて、前記所定の電子商取引サイトにおける前記商品の販売価格を、前記所定の電子商取引サイトから取得する商品価格取得手段と、
前記ユーザーとの間で、前記商品の販売価格に前記第１の割引率より小さい第２の割引率を適用した代理購入代金の決済を行う代理購入決済手段と、
前記所定の電子商取引サイトに対し、前記商品識別情報特定手段によって特定された前記商品識別情報で識別される商品を前記商品情報受付手段によって受け付けた前記届け先へ届けるという条件の注文を行うと共に、前記管理口座において管理される前記仮想通貨を前記商品の販売価格の分だけ支払う代理購入手段と、を有することを特徴とする商品代理購入装置。
【請求項２】
前記商品識別情報特定手段が、前記所定の電子商取引サイトに対し、前記商品に対応する前記商品識別情報を応答するよう要求を行うことを特徴とする請求項１に記載の商品代理購入装置。
【請求項３】
前記商品識別情報特定手段が、前記所定の電子商取引サイトが応答した前記商品識別情報に対応する商品の画像情報を前記ユーザー端末に表示させると共に、前記画像情報として表示される商品が、前記代理購入を希望する商品と相違ないことを前記ユーザーに確認することを特徴とする請求項２に記載の商品代理購入装置。
【請求項４】
前記所定の電子商取引サイトにおいて、前記商品を複数の販売者が販売している場合、
前記商品価格取得手段が、前記商品に関し、前記所定の電子商取引サイト内において最も低い前記販売価格を取得し、
前記代理購入手段が、前記最も低い販売価格で前記商品を販売する販売者から購入することを特徴とする請求項１乃至３の何れか一に記載の商品代理購入装置。
【請求項５】
前記商品情報受付手段が、前記代理購入を希望する個数を受け付け、
前記商品価格取得手段が、前記希望する個数分の前記商品を販売可能な前記販売者の前記販売価格を取得し、
前記代理購入手段が、前記希望する個数分の商品を販売可能な販売者から購入することを特徴とする請求項４に記載の商品代理購入装置。
【請求項６】
前記商品価格取得手段、前記代理購入決済手段及び前記代理購入手段による処理を略同時に行うことを特徴とする請求項１乃至５の何れか一に記載の商品代理購入装置。
【請求項７】
ユーザーの依頼に基づいて、所定の電子商取引サイトにおいて商品の代理購入を行う商品代理購入装置で行われる商品代理購入方法であって、
仮想通貨入金手段が、前記所定の電子商取引サイトにおいて使用可能な仮想通貨へ変換可能な情報である仮想通貨可変情報であって、額面金額に対し第１の割引率以上の割引率で割り引かれる価格で仕入れられた前記仮想通貨可変情報に基づいて、前記所定の電子商取引サイト内の管理口座であって、前記所定の電子商取引サイトにおいて使用される前記仮想通貨を管理する前記管理口座への入金処理を行うステップと、
商品情報受付手段が、ユーザー端末から、前記所定の電子商取引サイトにおいて代理購入を希望する商品及び該商品の届け先を受け付けるステップと、
商品識別情報特定手段が、前記所定の電子商取引サイトを介して、前記商品情報受付手段によって受け付けた前記商品を識別する商品識別情報であって、前記所定の電子商取引サイトにおける固有の前記商品識別情報を特定するステップと、
商品価格取得手段が、前記商品識別情報に基づいて、前記所定の電子商取引サイトにおける前記商品の販売価格を、前記所定の電子商取引サイトから取得するステップと、
代理購入決済手段が、前記ユーザーとの間で、前記商品の販売価格に前記第１の割引率より小さい第２の割引率を適用した代理購入代金の決済を行うステップと、
代理購入手段が、前記所定の電子商取引サイトに対し、前記商品識別情報特定手段によって特定された前記商品識別情報で識別される商品を前記商品情報受付手段によって受け付けた前記届け先へ届けるという条件の注文を行うと共に、前記管理口座において管理される前記仮想通貨を前記商品の販売価格の分だけ支払うステップと、を含む商品代理購入方法。
【請求項８】
前記商品識別情報特定手段が、前記所定の電子商取引サイトに対し、前記商品に対応する前記商品識別情報を応答するよう要求を行うことを特徴とする請求項７に記載の商品代理購入方法。
【請求項９】
前記商品識別情報特定手段が、前記所定の電子商取引サイトが応答した前記商品識別情報に対応する商品の画像情報を前記ユーザー端末に表示させると共に、前記画像情報として表示される商品が、前記代理購入を希望する商品と相違ないことを前記ユーザーに確認することを特徴とする請求項８に記載の商品代理購入方法。
【請求項１０】
前記所定の電子商取引サイトにおいて、前記商品を複数の販売者が販売している場合、
前記商品価格取得手段が、前記商品に関し、前記所定の電子商取引サイト内において最も低い前記販売価格を取得し、
前記代理購入手段が、前記最も低い販売価格で前記商品を販売する販売者から購入することを特徴とする請求項７乃至９の何れか一に記載の商品代理購入方法。
【請求項１１】
前記商品情報受付手段が、前記代理購入を希望する個数を受け付け、
前記商品価格取得手段が、前記希望する個数分の前記商品を販売可能な前記販売者の前記販売価格を取得し、
前記代理購入手段が、前記希望する個数分の商品を販売可能な販売者から購入することを特徴とする請求項１０に記載の商品代理購入方法。
【請求項１２】
前記商品価格取得手段、前記代理購入決済手段及び前記代理購入手段による処理を略同時に行うことを特徴とする請求項７乃至１１の何れか一に記載の商品代理購入方法。
【請求項１３】
コンピュータに、請求項７乃至１２の何れか一に記載の商品代理購入方法を実行させるための商品代理購入プログラム。
【発明の詳細な説明】
【技術分野】
【０００１】
ユーザーに余計な手間を掛けさせずに、商品の割引購入の機会を提供すると共に、商品販売者側の機会損失を低減させる技術に関する。
【背景技術】
【０００２】
電子商取引とは、コンピューターネットワーク上での電子的な情報通信によって商品やサービスを売買したり分配したりすることを指し、近年、取引量が急速に拡大している。また、電子商取引サイトとは、電子商取引を行うために設置されるウェブサイトであり、ＥＣ（Electronic Commerce）サイト、電子商店街、オンラインモールと呼ばれることもある。
【０００３】
最近では、特定の電子商取引サイト上で使用可能な仮想通貨に変換できる暗号化された文字列であるギフトカードなるものが登場し、贈り物や景品として広く市場で流通している。当該ギフトカードは、額面金額に対し一定の割引を適用することによって需給をバランスさせることが可能であり、ウェブサイト上で売買も行われている。
【０００４】
ところで、電子商取引も商取引の一形態であり、当然ながら、電子商取引サイトの運営者には当サイトでの取引量を拡大させたいというニーズが存在し、そういったニーズを満たすために、種々の電子商取引に関する研究開発がなされている。例えば、特許文献１では、店舗へ新たな機器を設置せずに、電子クーポンを発行する効果が把握できる電子クーポン配布システムが提案されている。
【先行技術文献】
【特許文献】
【０００５】
【特許文献１】特開２０１４−９６１１２号公報
【発明の概要】
【発明が解決しようとする課題】
【０００６】
しかしながら、上記従来技術では、割引販売の恩恵を受けようとするユーザーはクーポンを入手する必要があり、割引を受けての商品購入までひと手間掛かるため、実際に商品購入を行うユーザーの数を減らしてしまうという問題点があった。
【０００７】
そこで本発明では、上記問題点に鑑み、ユーザーに余計な手間を掛けさせる事無く、市価に対し割り引かれた価格での商品購入を行わせることができると共に、販売者側の機会損失を低減させる商品代理購入装置を提供することを目的とする。
【課題を解決するための手段】
【０００８】
開示する商品代理購入装置の一形態は、ユーザーの依頼に基づいて、所定の電子商取引サイトにおいて商品の代理購入を行う商品代理購入装置であって、前記所定の電子商取引サイトにおいて使用可能な仮想通貨へ変換可能な情報である仮想通貨可変情報であって、額面金額に対し第１の割引率以上の割引率で割り引かれる価格で仕入れられた前記仮想通貨可変情報に基づいて、前記所定の電子商取引サイト内の管理口座であって、前記所定の電子商取引サイトにおいて使用される前記仮想通貨を管理する前記管理口座への入金処理を行う仮想通貨入金手段と、ユーザー端末から、前記所定の電子商取引サイトにおいて代理購入を希望する商品及び該商品の届け先を受け付ける商品情報受付手段と、前記所定の電子商取引サイトを介して、前記商品情報受付手段によって受け付けた前記商品を識別する商品識別情報であって、前記所定の電子商取引サイトにおける固有の前記商品識別情報を特定する商品識別情報特定手段と、前記商品識別情報に基づいて、前記所定の電子商取引サイトにおける前記商品の販売価格を、前記所定の電子商取引サイトから取得する商品価格取得手段と、前記ユーザーとの間で、前記商品の販売価格に前記第１の割引率より小さい第２の割引率を適用した代理購入代金の決済を行う代理購入決済手段と、前記所定の電子商取引サイトに対し、前記商品識別情報特定手段によって特定された前記商品識別情報で識別される商品を前記商品情報受付手段によって受け付けた前記届け先へ届けるという条件の注文を行うと共に、前記管理口座において管理される前記仮想通貨を前記商品の販売価格の分だけ支払う代理購入手段と、を有することを特徴とする。
【発明の効果】
【０００９】
開示する商品代理購入装置は、ユーザーに余計な手間を掛けさせる事無く、市価に対し割り引かれた価格での商品購入を行わせることができると共に、販売者側の機会損失を低減させる。
【図面の簡単な説明】
【００１０】
【図１】本実施の形態に係る商品代理購入装置の概要を説明するための図である。
【図２】本実施の形態に係る商品代理購入装置の機能ブロック図である。
【図３】本実施の形態に係る仮想通貨可変情報を説明するための図である。
【図４】本実施の形態に係る仮想通貨入金手段を説明するための図である。
【図５】本実施の形態に係る商品情報受付手段を説明するための図である。
【図６】本実施の形態に係る商品識別情報特定手段を説明するための図である。
【図７】本実施の形態に係る商品価格取得手段及び代理購入決済手段を説明するための図である。
【図８】本実施の形態に係る商品代理購入装置のハードウエア構成例を示す図である。
【図９】本実施の形態に係る商品代理購入装置による管理口座入金処理の一例の流れを示すフローチャートである。
【図１０】本実施の形態に係る商品代理購入装置による商品代理購入処理の一例の流れを示すフローチャートである。
【発明を実施するための形態】
【００１１】
図面を参照しながら、本発明を実施するための形態について説明する。
（本実施の形態に係る商品代理購入装置の動作原理）
【００１２】
図１乃至７を用いて、本実施の形態に係る商品代理購入装置（以下、単に「本装置」という。）１００の動作原理について説明する。図１は、本装置１００と周辺装置との関係を示した図であり、図２は、本装置１００の機能ブロック図である。
【００１３】
図１で示すように、本装置１００は、通信ネットワーク３２０を介して、ユーザー２９０が操作するユーザー端末３００や電子商取引サイト２００（が設置・運営されるサーバー装置）と接続される。ユーザー２９０は、本装置１００を利用し、商品（サービスも含む概念）の代理購入を希望する者である。なお、通信ネットワーク３２０は、有線、無線何れの方式でも良い。
【００１４】
本装置１００は、所定の仮想通貨に変換可能な暗号化された文字列である仮想通貨可変情報（以下、「ギフト券」という。）２１０を額面に対し第１の割引率２７０以上割り引かれた価格で仕入れ、ギフト券２１０に基づいて管理口座２２０に入金する処理を行う。ここで、仮想通貨とは、法定通貨に対して特定の国家による価値の保証を持たない通貨のことであり、本実施の形態においては一般的な意味での仮想通貨を想定している。仮想通貨には、例えば、Ａｍａｚｏｎ（登録商標）、楽天市場（登録商標）のような特定の電子商取引サイトで利用できる仮想通貨が含まれ、仮想通貨は電子マネーと捉えることもできる。
【００１５】
一方で、本装置１００は、ユーザー２９０から、購入希望の商品２３０に関する情報と共に、商品２３０の届け先（例えば、ユーザー２９０の氏名、住所等）２５０に関する情報を受け付ける。そして、本装置１００は、所定の電子商取引サイト２００において、ユーザー２９０の購入希望商品２３０を特定した後、所定の電子商取引サイト２００における商品２３０の販売価格（市価）２６０を特定する。
【００１６】
次に、本装置１００は、ユーザー２９０との間で、商品２３０の販売価格２６０に対し第２の割引率２８０（第２の割引率２８０は第１の割引率２７０より小さい）を適用した価格２６５について決済を行う。さらに、本装置１００は、所定の電子商取引サイト２００に対し、ユーザー２９０が希望する届け先２５０へ商品２３０を配送するという条件で商品購入の処理を行う。それに併せて、本装置１００は、管理口座２２０に入金された仮想通貨を使用して商品２３０の購入代金２６０を決済する。その後、商品２３０の注文を行った所定の電子商取引サイト２００が、商品２３０を届け先２５０へ配送する処理を行う。
【００１７】
上記のような処理を行うことによって、第１の割引率（例えば、１０％）２７０＞第２の割引率（例えば、５％）２８０であるため、本装置１００は、（第１の割引率２７０−第２の割引率２８０）×（商品２３０の購入代金２６０）の算式で算出される粗利益を得ることができる。一方、ユーザー２９０は、本装置１００に対し商品２３０を注文する作業以外の追加的な作業を一切行うことなく、市価２６０よりも第２の割引率２８０の分だけ安く商品２３０を入手することができる。
【００１８】
なお、本装置１００の運営者は、ギフト券２１０売買の仲介業務を行っているため、額面に対し第１の割引率２７０以上割り引かれた価格でギフト券２１０を安定的に仕入れることができる。
また、所定の電子商取引サイト２００とは、Ａｍａｚｏｎ（登録商標）、楽天市場（登録商標）のようなサイトを想定している。
【００１９】
図２で示すように、本装置１００は、仮想通貨入金手段１１０、商品情報受付手段１２０、商品識別情報特定手段１３０、商品価格取得手段１４０、代理購入決済手段１５０、代理購入手段１６０を有する。
【００２０】
仮想通貨入金手段１１０は、額面金額に対し第１の割引率２７０以上の割引率で割り引かれた価格で仕入れられたギフト券２１０に基づいて、所定の電子商取引サイト２００内に設置される管理口座２２０であって、所定の電子商取引サイト２００において使用される仮想通貨を管理する管理口座２２０への入金処理を行う。
【００２１】
ギフト券２１０とは、所定の仮想通貨に変換可能な情報であり、他者への贈答品・景品等として市場を流通し、所定の電子商取引サイト２００においてギフト券２１０に係る情報を入力することによって、入力情報に応じた額の仮想通貨に換金することができる。
【００２２】
図３で示すように、ギフト券２１０は、例えば、「ｐ１２ａ３４ｔ５ｅ６ｎ７８９ｔ」のような一見すると意味を持たない文字列であり、所定の電子商取引サイト２００において当該文字列を入力すると、ギフト券２１０は額面に応じた仮想通貨に換金することができる。
【００２３】
図４で示すように、仮想通貨入金手段１１０は、所定の電子商取引サイト２００内に設置される管理口座２２０において、ギフト券２１０に係る文字列（例えば、「ｐ１２ａ３４ｔ５ｅ６ｎ７８９ｔ」等）を入力し、ギフト券２１０を額面の仮想通貨に換金する処理を行う。図３で示すように、仮想通貨入金手段１１０が、管理口座２２０において、文字列「ｐ１２ａ３４ｔ５ｅ６ｎ７８９ｔ」を入力した場合、入金（換金）される仮想通貨は５０，０００円となり、文字列「ａ１２ｐｐ３４ｌｉ５ｃａ６ｔｉ７８ｏ９ｎ」を入力した場合、入金（換金）される仮想通貨は３０，０００円となる。
【００２４】
商品情報受付手段１２０は、ユーザー端末３００から、所定の電子商取引サイト２００においてユーザー２９０が購入を希望する商品２３０、商品２３０の個数及び商品２３０の届け先２５０を受け付ける。ユーザー２９０が購入を希望する商品２３０とは、商品２３０の名称・型番をはじめ、商品２３０の色・付属品等の仕様情報も含む、商品２３０を特定するための情報（概念）である。届け先２５０は、ユーザー２９０の氏名や住所等の郵便物・宅配物を届けるための宛て名である。
【００２５】
図５で示すように、商品情報受付手段１２０は、例えば、ユーザー２９０が購入を希望する商品２３０として、商品名称：「Ca○○n  デジタル一眼レフカメラ  E○S  K○ss  X7」、商品の色：「黒」、商品の他の仕様：「…」を受け付ける。また、商品情報受付手段１２０は、例えば、上記商品２３０について、購入希望個数として１個又は２個という情報を受け付ける。さらに、商品情報受付手段１２０は、例えば、上記商品２３０について、届け先２５０として、氏名：「楠  雄司」、住所：「東京都渋谷区渋谷３−６−２」を受け付ける。
【００２６】
商品識別情報特定手段１３０は、所定の電子商取引サイト２００に対し、商品情報受付手段１２０によって受け付けた商品２３０に対応する商品識別情報２４０を応答するよう要求を行うことによって、所定の電子商取引サイト２００における固有の商品識別情報２４０を特定する。なお、商品識別情報２４０は、商品２３０、商品２３０の色、その他の仕様を含め、所定の電子商取引サイト２００において商品２３０を一意に特定する情報である。
【００２７】
商品識別情報特定手段１３０は、商品識別情報特定手段１３０によって特定された商品識別情報２４０に対応する商品２３０の画像情報をユーザー端末３００に表示させる。それに併せて、商品識別情報特定手段１３０は、画像情報として表示される商品２３０が、ユーザー２９０の購入希望商品２３０であることに相違ないことを、ユーザー２９０に対し確認する。このような処理によって、ユーザー２９０の購入希望商品２３０と商品識別情報２４０とが一対一で対応づけられる。
【００２８】
図６で示すように、商品識別情報２４０は、例えば、商品２３０：「Ca○○n  デジタル一眼レフカメラ  E○  K○ss  X7」「黒色」「その他の仕様」に「B00BXVR8FU」が対応し、商品２３０：「Ca○○n  デジタル一眼レフカメラ  E○  K○ss  X7」「白色」「その他の仕様」に「B00KAQX65U」が対応する。
【００２９】
商品価格取得手段１４０は、所定の電子商取引サイト２００に対し、商品識別情報特定手段１３０によって特定された商品識別情報２４０に対応する商品２３０の販売価格（市価）２６０を応答するよう要求を行う。商品価格取得手段１４０は、こうすることによって、所定の電子商取引サイト２００における商品２３０の販売価格２６０を取得する。
【００３０】
所定の電子商取引サイト２００において、複数の販売者３１０が商品２３０を販売している場合、つまり、販売価格２６０が複数存在する場合、商品価格取得手段１４０は、商品２３０に関し、所定の電子商取引サイト２００内において最も低い販売価格２６０を取得する。なるべく安く商品２３０を購入したいというユーザー２９０のニーズを満たすための処理である。
【００３１】
図７で示すように、販売価格取得手段１４０は、商品識別情報２４０：「B00BXVR8FU」について、最も低い販売価格２６０：「４８，３５０円」（販売者Ａの販売価格）を取得し、商品識別情報２４０：「B00KAQX65U」について、最も低い販売価格２６０：「５７，５００円」（販売者Ｄの販売価格）を取得する。
【００３２】
また、商品価格取得手段１４０は、ユーザー２９０が購入を希望する個数分の商品２３０を販売可能な販売者３１０が提示する販売価格２６０を取得する。ユーザー２９０が希望する個数の商品２３０を用意できない販売者２６０とは売買契約が成立しないからである。
【００３３】
図７で示すように、販売価格取得手段１４０は、商品識別情報２４０：「B00BXVR8FU」について希望購入個数が２個の場合、最も低い販売価格２６０：「４９，０００円」（販売者Ｂの販売価格）を取得する。販売価格取得手段１４０は、商品識別情報２４０：「B00KAQX65U」について希望購入個数が２個の場合、最も低い販売価格２６０：「６０，０００円」（販売者Ｆの販売価格）を取得する。
【００３４】
代理購入決済手段１５０は、ユーザー２９０との間で、商品２３０の販売価格２６０に対し、第１の割引率２７０より小さい第２の割引率２８０を適用した代理購入代金２６５の決済を行う。
【００３５】
図７で示すように、代理購入決済手段１５０は、ユーザー２９０との間で、商品識別情報２４０：「B00BXVR8FU」に対応する商品２３０の販売価格２６０：「４９，０００円」に対し、第２の割引率２８０：「５％」を適用した代理購入代金２６５：「４６，５５０円」の決済を行う。また、代理購入決済手段１５０は、ユーザー２９０との間で、商品識別情報２４０：「B00KAQX65U」に対応する商品２３０の販売価格２６０：「６０，０００円」に対し、第２の割引率２８０：「５％」を適用した代理購入代金２６５：「５７，０００円」の決済を行う。このとき、第１の割引率２７０は、第２の割引率２８０：「５％」よりも大きい値であり、例えば、１０％である。
【００３６】
代理購入手段１６０は、所定の電子商取引サイト２００に対し、商品識別情報特定手段１３０によって特定された商品識別情報２４０で識別される商品２３０を、商品情報受付手段１２０によって受け付けた届け先２５０へ届けるという条件の注文を行う。これに併せて、代理購入手段１６０は、仮想通貨入金手段１１０によって入金処理を行った管理口座２２０において管理される仮想通貨を商品２３０の販売価格２６０の分だけ支払う処理を行う。
【００３７】
代理購入手段１６０による処理の後、所定の電子商取引サイト２００は、届け先２５０へ、商品２３０を配送する処理を行う。このような処理を行うことによって、ユーザー２９０は、本装置１００への注文以外の作業を行うことなく、商品２３０を、市価２６０よりも安い代金２６５で入手することができる。一方、本装置１００（を運営する事業者）は、（第１の割引率２７０−第２の割引率２８０）×（商品２３０の購入代金２６０）の算式で算出される粗利益を確保することができる。
【００３８】
所定の電子商取引サイト２００において、複数の販売者３１０が商品２３０を販売している場合、つまり、販売価格２６０が複数存在する場合、代理購入手段１６０は、商品価格取得手段１４０が取得した最も安い販売価格２６０で商品２３０を販売する販売者３１０を指定して、商品２３０の注文・決済処理を行う。
代理購入手段１６０は、ユーザー２９０が購入を希望する個数分の商品２３０を販売可能な販売者３１０を指定して、商品２３０の注文・決済処理を行う。
【００３９】
代理購入手段１６０は、商品識別情報２４０：「B00BXVR8FU」について希望購入個数が２個の場合、最も低い販売価格２６０：「４９，０００円」を提示する販売者Ｂに対し、商品２３０：「Ca○○n  デジタル一眼レフカメラ  E○  K○ss  X7」「黒色」「その他の仕様」を届け先２５０：「楠  雄司」「東京都渋谷区渋谷３−６−２」へ届けるという条件の注文を行う。これに併せて、代理購入手段１６０は、仮想通貨入金手段１１０によって入金処理を行った管理口座２２０において管理される仮想通貨によって、商品２３０の販売価格２６０：「４９，０００円」を支払う処理を行う。
【００４０】
なお、商品価格取得手段１４０、代理購入決済手段１５０及び代理購入手段１６０による処理は、略同時に行うことが好適である。所定の電子商取引サイト２００においては、商品２３０の販売価格２６０及び販売可能個数（在庫個数）は一定ではなく、流動的である。そのため、ユーザー２９０から受けた代理購入依頼の内容と所定の電子商取引サイト２００が引き受け可能な注文の内容とに齟齬を生じさせないようにするための条件である。また、販売価格２６０の変動に伴い生じる、本装置１００（の運営者）の利益の変動を極力排除するための条件でもある。そのため、代理購入決済手段１５０による処理実行の直前に、再度、商品価格取得手段１４０による処理を実行し、商品価格取得手段１４０が再取得した情報と代理購入決済手段１５０が行う決済処理の内容との間に齟齬が生じている場合、エラー処理として代理購入決済手段１５０及び代理購入手段１６０による処理を中止する形態でも良い。
【００４１】
上記一連の処理において、本装置１００は、（第１の割引率２７０−第２の割引率２８０）×（商品２３０の購入代金２６０）の算式で計算される粗利益を確保することができる。一方、ユーザー２９０は、本装置１００に対し商品２３０を注文する作業以外の追加的な作業を一切行うことなく、市価２６０よりも第２の割引率２８０（例えば、５％）の分だけ安く商品２３０を入手することができる。従って、本装置１００は、商品購入の過程で商品購入を諦めてしまうユーザーを減らし、商品販売者側の機会損失を低減させる。
（本実施の形態に係る商品代理購入装置のハードウエア構成）
【００４２】
図８を用いて、本装置１００のハードウエア構成例について説明する。図８は、本装置１００のハードウエア構成の一例を示す図である。図８で示すように、本装置１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入力装置４６０、出力装置（表示装置）４７０、記録媒体Ｉ／Ｆ４８０を有する。
【００４３】
ＣＰＵ４１０は、ＲＯＭ４２０に記憶されたプログラムを実行する装置であり、ＲＡＭ４３０に展開（ロード）されたデータを、プログラムの命令に従って演算処理し、本装置１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００４４】
補助記憶装置４４０は、基本ソフトウエアであるＯＳ（Operating System）や本実施の形態に係るアプリケーションプログラムなどを、関連するデータとともに記憶する装置であり、例えば、ＨＤＤ（Hard Disc Drive）やフラッシュメモリなどである。
【００４５】
通信Ｉ／Ｆ４５０は、有線・無線ＬＡＮ（Local Area Network）、インターネットなどの通信ネットワークに接続し、通信機能を提供する他装置２００、３００とデータの授受を行うためのインターフェースである。
【００４６】
入力装置４６０は、タッチパネルなど本装置１００にデータ入力を行うための装置である。出力装置４７０は、ＬＣＤ（Liquid Crystal Display）等で構成される装置であり、本装置１００が有する機能をユーザーが利用する際や各種設定を行う際のユーザーインターフェースとして機能する装置である。
記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００４７】
本装置１００が有する各手段は、ＣＰＵ４１０が、ＲＯＭ４２０又は補助記憶装置４４０に記憶された各手段に対応するプログラムを実行することにより実現される形態としても良い。また、本装置１００が有する各手段は、当該各手段に関する処理をハードウエアとして実現される形態としても良い。また、通信Ｉ／Ｆ４５０を介して外部サーバー装置から本発明に係るプログラムを読み込ませたり、記録媒体Ｉ／Ｆ４８０を介して記録媒体４９０から本発明に係るプログラムを読み込ませたりして、本装置１００に当該プログラムを実行させる形態としても良い。
（本実施の形態に係る商品代理購入装置による処理例）
（１）本装置１００による仮想通貨入金処理
【００４８】
図９を用いて、本装置１００による管理口座２２０へ仮想通貨を入金する処理例の流れについて説明する。図９は、本装置１００による仮想通貨入金処理の一例の流れを示すフローチャートである。
【００４９】
Ｓ１０で仮想通貨入金手段１１０が、額面金額に対し第１の割引率２７０以上の割引率で割り引かれる価格で仕入れられたギフト券２１０に基づいて、電子商取引サイト２００内に設置される管理口座２２０であって、電子商取引サイト２００において使用される仮想通貨を管理する管理口座２２０への入金処理を行う。
【００５０】
図４で示すように、仮想通貨入金手段１１０は、電子商取引サイト２００内に設置される管理口座２２０において、ギフト券２１０に含まれる文字列（例えば、「ｐ１２ａ３４ｔ５ｅ６ｎ７８９ｔ」等）を入力し、ギフト券２１０を額面の仮想通貨に換金する処理を行う。図３で示すように、仮想通貨入金手段１１０が、管理口座２２０において、文字列「ｐ１２ａ３４ｔ５ｅ６ｎ７８９ｔ」を入力した場合、仕入金額４４，０００円に対し入金（換金）される仮想通貨は５０，０００円となる。また、仮想通貨入金手段１１０が、文字列「ａ１２ｐｐ３４ｌｉ５ｃａ６ｔｉ７８ｏ９ｎ」を入力した場合、仕入金額２７，０００円に対し入金（換金）される仮想通貨は３０，０００円となる。
【００５１】
上記のような処理を行うことによって、本装置１００は、仕入れた金額よりも多い額の仮想通貨を使用し、電子商取引サイト２００において商品購入を行うことができる。
（２）本装置１００による商品代理購入処理
【００５２】
図１０を用いて、本装置１００による商品２３０を代理購入する処理例の流れについて説明する。図１０は、本装置１００による商品代理購入処理の一例の流れを示すフローチャートである。
【００５３】
Ｓ２０で商品情報受付手段１２０が、ユーザー端末３００から、電子商取引サイト２００においてユーザー２９０が購入を希望する商品２３０、商品２３０の個数及び商品２３０の届け先２５０を受け付ける。
【００５４】
図５で示すように、商品情報受付手段１２０は、例えば、ユーザー２９０が購入を希望する商品２３０として、商品名称：「Ca○○n  デジタル一眼レフカメラ  E○S  K○ss  X7」、商品の色：「黒」、商品の他の仕様：「…」を受け付ける。また、商品情報受付手段１２０は、例えば、先の商品２３０について、購入希望個数として１個又は２個という情報を受け付ける。さらに、商品情報受付手段１２０は、例えば、先の商品２３０について、届け先２５０として、氏名：「楠  雄司」、住所：「東京都渋谷区渋谷３−６−２」を受け付ける。
【００５５】
Ｓ３０で商品識別情報特定手段１３０が、電子商取引サイト２００に対し、Ｓ２０において受け付けた商品２３０に対応する商品識別情報２４０を応答するよう要求を行うことによって、電子商取引サイト２００における固有の商品識別情報２４０を特定する。なお、商品識別情報２４０は、商品２３０、商品２３０の色、その他の仕様を含め、電子商取引サイト２００において商品２３０を一意に特定する情報である。
【００５６】
商品識別情報特定手段１３０は、Ｓ３０において特定された商品識別情報２４０に対応する商品２３０の画像情報をユーザー端末３００に表示させる形態であっても良い。それに併せて、商品識別情報特定手段１３０は、画像情報として表示される商品２３０が、ユーザー２９０の購入希望商品２３０であることに相違ないことを、ユーザー２９０に対し確認させる。この処理によって、ユーザー２９０の購入希望商品２３０と商品識別情報２４０とが一対一で対応づけられる。
【００５７】
図６で示すように、商品識別情報２４０は、例えば、商品２３０：「Ca○○n  デジタル一眼レフカメラ  E○  K○ss  X7」「黒色」「その他の仕様」に「B00BXVR8FU」が対応し、商品２３０：「Ca○○n  デジタル一眼レフカメラ  E○  K○ss  X7」「白色」「その他の仕様」に「B00KAQX65U」が対応する。
【００５８】
Ｓ４０で商品価格取得手段１４０が、電子商取引サイト２００に対し、Ｓ３０において特定された商品識別情報２４０に対応する商品２３０の販売価格（市価）２６０を応答するよう要求を行う。こうすることによって、商品価格取得手段１４０は、電子商取引サイト２００における商品２３０の販売価格２６０を取得する。
【００５９】
所定の電子商取引サイト２００において、複数の販売者３１０が商品２３０を販売している場合、つまり、販売価格２６０が複数存在する場合、商品価格取得手段１４０は、商品２３０に関し、所定の電子商取引サイト２００内において最も低い販売価格２６０を取得する形態としても良い。なるべく安く商品２３０を購入したいというユーザー２９０のニーズを満たすための処理である。
【００６０】
図７で示すように、販売価格取得手段１４０は、商品識別情報２４０：「B00BXVR8FU」について、最も低い販売価格２６０：「４８，３５０円」（販売者Ａの販売価格）を取得し、商品識別情報２４０：「B00KAQX65U」について、最も低い販売価格２６０：「５７，５００円」（販売者Ｄの販売価格）を取得する。
【００６１】
加えて、商品価格取得手段１４０は、ユーザー２９０が購入を希望する個数分の商品２３０を販売可能な販売者３１０が提示する販売価格２６０を取得する形態としても良い。ユーザー２９０が希望する個数の商品２３０を用意できない販売者２６０とは売買契約が成立しないからである。
【００６２】
図７で示すように、販売価格取得手段１４０は、商品識別情報２４０：「B00BXVR8FU」について希望購入個数が２個の場合、最も低い販売価格２６０：「４９，０００円」（販売者Ｂの販売価格）を取得する。販売価格取得手段１４０は、商品識別情報２４０：「B00KAQX65U」について希望購入個数が２個の場合、最も低い販売価格２６０：「６０，０００円」（販売者Ｆの販売価格）を取得する。
【００６３】
Ｓ５０で代理購入決済手段１５０が、ユーザー２９０との間で、商品２３０の販売価格２６０に対し、第１の割引率２７０より小さい第２の割引率２８０を適用した代理購入代金２６５の決済を行う。
【００６４】
図７で示すように、代理購入決済手段１５０は、ユーザー２９０との間で、商品識別情報２４０：「B00BXVR8FU」に対応する商品２３０の販売価格２６０：「４９，０００円」に対し、第２の割引率２８０：「５％」を適用した代理購入代金２６５：「４６，５５０円」の決済を行う。
【００６５】
また、代理購入決済手段１５０は、ユーザー２９０との間で、商品識別情報２４０：「B00KAQX65U」に対応する商品２３０の販売価格２６０：「６０，０００円」に対し、第２の割引率２８０：「５％」を適用した代理購入代金２６５：「５７，０００円」の決済を行う。
このとき、第１の割引率２７０は、第２の割引率２８０：「５％」よりも大きい値であり、例えば、１０％である。
【００６６】
Ｓ６０で代理購入手段１６０が、電子商取引サイト２００に対し、Ｓ３０において特定した商品識別情報２４０で識別される商品２３０を、Ｓ２０において受け付けた届け先２５０へ届けるという条件の注文を行う。これに併せて、代理購入手段１６０は、Ｓ１０において入金処理を行った管理口座２２０において管理される仮想通貨を商品２３０の販売価格２６０の分だけ支払う処理を行う。
【００６７】
電子商取引サイト２００において、複数の販売者３１０が商品２３０を販売している場合、つまり、販売価格２６０が複数存在する場合、代理購入手段１６０は、Ｓ４０において取得した最も安い販売価格２６０で商品２３０を販売する販売者３１０を指定して、商品２３０の注文・決済処理を行う形態としても良い。加えて、代理購入手段１６０は、ユーザー２９０が購入を希望する個数分の商品２３０を販売可能な販売者３１０を指定して、商品２３０の注文・決済処理を行う形態としても良い。
【００６８】
代理購入手段１６０は、商品識別情報２４０：「B00BXVR8FU」について希望購入個数が２個の場合、最も低い販売価格２６０：「４９，０００円」を提示する販売者Ｂに対し、商品２３０：「Ca○○n  デジタル一眼レフカメラ  E○  K○ss  X7」「黒色」「その他の仕様」を届け先２５０：「楠  雄司」「東京都渋谷区渋谷３−６−２」へ届けるという条件の注文を行う。これに併せて、代理購入手段１６０は、Ｓ１０において入金処理を行った管理口座２２０において管理される仮想通貨によって、商品２３０の販売価格２６０：「４９，０００円」を支払う処理を行う。
代理購入手段１６０による処理の後、電子商取引サイト２００は、届け先２５０へ、商品２３０を配送する処理を行う。
【００６９】
このような処理を行うことによって、本装置１００は、ユーザー２９０に、本装置１００への注文以外の作業を行わせることなく、商品２３０を、市価２６０よりも安い代理購入代金２６５で入手させることができる。従って、本装置１００は、商品購入の過程で商品購入を諦めてしまうユーザーを減らし、商品販売者側の機会損失を低減させる。一方、本装置１００は、運営者に、（第１の割引率２７０−第２の割引率２８０）×（商品２３０の購入代金２６０）の算式で定まる粗利益を確保させることができる。
【００７０】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００７１】
１００  商品代理購入装置
１１０  仮想通貨入金手段
１２０  商品情報受付手段
１３０  商品識別情報特定手段
１４０  商品価格取得手段
１５０  代理購入決済手段
１６０  代理購入手段
２００  所定の電子商取引サイト
２１０  仮想通貨可変情報
２２０  管理口座
２３０  代理購入を希望する商品
２４０  商品識別情報
２５０  商品の届け先
２６０  商品の販売価格（市価）
２６５  商品の代理購入価格
２７０  第１の割引率
２８０  第２の割引率
２９０  ユーザー
３００  ユーザー端末
３１０  販売者
３２０  通信ネットワーク
４１０  ＣＰＵ
４２０  ＲＯＭ
４３０  ＲＡＭ
４４０  補助記憶装置
４５０  通信インターフェース
４６０  入力装置
４７０  出力装置
４８０  記録媒体インターフェース
４９０  記録媒体
【図１】
2018032359.tif 000003
【図２】
2018032359.tif 000004
【図３】
2018032359.tif 000005
【図４】
2018032359.tif 000006
【図５】
2018032359.tif 000007
【図６】
2018032359.tif 000008
【図７】
2018032359.tif 000009
【図８】
2018032359.tif 000010
【図９】
2018032359.tif 000011
【図１０】
2018032359.tif 000012